(57)【要約】      （修正有）【課題】少なくとも文字データが印刷された印刷物を迅速、効率的に検査する。【解決手段】印刷物の文字データ又はコードが印刷されるべき領域である文字データ領域の位置を示す文字データ領域情報と、そこに印刷されるべき文字データ又はコードとを対応付けて記憶する記憶手段と、この印刷物を撮像し検査画像データを取得する検査画像データ取得手段と、記憶手段に基づいて、撮像された検査画像データの中から文字データ領域を抽出する文字データ領域抽出手段と、文字データ領域抽出手段により抽出された文字データ領域の画像データを文字データ又はコードに変換する変換手段と、文字データ領域に印刷されるべき前記文字データ又はコードを抽出する文字データ抽出手段と、変換手段により変換された文字データ又はコードと、文字データ抽出手段により抽出された文字データ又はコードとを比較し、印刷物の良否を判定する。【選択図】図１
2008084174.tif 000002
【特許請求の範囲】
【請求項１】
少なくとも文字データ又はコードが印刷された印刷物を検査する印刷物検査装置において、
前記印刷物の全領域のうち前記文字データ又はコードが印刷されるべき領域である文字データ領域の位置を示す文字データ領域情報と、前記文字データ領域に印刷されるべき文字データ又はコードとを対応付けて記憶する記憶手段と、
前記文字データ又はコードが印刷された印刷物を撮像し検査画像データを取得する検査画像データ取得手段と、
前記記憶手段に基づいて、前記撮像された検査画像データの中から前記文字データ領域を抽出する文字データ領域抽出手段と、
前記文字データ領域抽出手段により抽出された前記文字データ領域の画像データを前記文字データ又はコードに変換する変換手段と、
前記記憶手段に基づいて、前記文字データ領域抽出手段により抽出された文字データ領域に印刷されるべき前記文字データ又はコードを抽出する文字データ抽出手段と、
前記変換手段により変換された文字データ又はコードと、前記文字データ抽出手段により抽出された文字データ又はコードとを比較し、印刷物の良否を判定する判定手段と、
を有することを特徴とする印刷物検査装置。
【請求項２】
各印刷物に共通の共通データと、各印刷物毎に異なり少なくとも文字データ又はコードを含んで構成される可変データとが印刷された印刷物を検査する印刷物検査装置において、
前記印刷物の全領域のうち前記可変データが印刷されるべき領域である可変データ領域の位置を示す可変データ領域情報と、前記可変データ領域に印刷されるべき文字データ又はコードとを対応付けて記憶する記憶手段と、
前記共通データと前記可変データとが印刷された前記印刷物を撮像し検査画像データを取得する検査画像データ取得手段と、
前記記憶手段に基づいて、前記撮像された検査画像データの中から前記可変データ領域を抽出する可変データ領域抽出手段と、
前記可変データ領域抽出手段により抽出された前記可変データ領域の画像データを前記文字データ又はコードに変換する変換手段と、
前記記憶手段に基づいて、前記可変データ領域抽出手段により抽出された可変データ領域に印刷されるべき前記文字データ又はコードを抽出する文字データ抽出手段と、
前記変換手段により変換された文字データ又はコードと、前記文字データ抽出手段により抽出された文字データ又はコードとを比較し、印刷物の良否を判定する判定手段と、
を有することを特徴とする印刷物検査装置。
【請求項３】
請求項２に記載の印刷物検査装置において、
前記記憶手段は、前記印刷物の全領域のうち前記共通データが印刷されるべき領域である共通データ領域の位置を示す共通データ領域情報と、前記共通データ領域に印刷されるべき共通データとを対応付けて記憶し、
前記検査画像データ取得手段により取得した複数の検査画像データの中から基準となる基準画像データを取得する基準画像データ取得手段を更に有し、
前記可変データ領域抽出手段は、前記記憶手段に基づいて、前記基準画像データを除く検査画像データと、前記基準画像データの中からそれぞれ前記可変データ領域を抽出し、
前記基準画像データを除く検査画像データと前記基準画像データ中のそれぞれの可変データ領域にマスク処理を行い、それぞれの共通データ領域を抽出する共通データ領域抽出手段を更に有し、
前記判定手段は、前記共通データ領域抽出手段により抽出された前記基準画像データを除く前記検査画像データ中の共通データと、前記共通データ領域抽出手段により抽出された前記基準画像データ中の共通データとを比較し、印刷物の良否を判定することを特徴とする印刷物検査装置。
【請求項４】
少なくとも文字データ又はコードが印刷された印刷物を検査する印刷物検査方法において、
前記印刷物の全領域のうち前記文字データ又はコードが印刷されるべき領域である文字データ領域の位置を示す文字データ領域情報と、前記文字データ領域に印刷されるべき文字データ又はコードとを対応付けて記憶する記憶工程と、
前記文字データ又はコードが印刷された印刷物を撮像し検査画像データを取得する検査画像データ取得工程と、
前記記憶工程にて記憶させた情報に基づいて、前記撮像された検査画像データの中から前記文字データ領域を抽出する文字データ領域抽出工程と、
前記文字データ領域抽出工程により抽出された前記文字データ領域の画像データを前記文字データ又はコードに変換する変換工程と、
前記記憶工程にて記憶させた情報に基づいて、前記文字データ領域抽出工程により抽出された文字データ領域に印刷されるべき前記文字データ又はコードを抽出する文字データ抽出工程と、
前記変換工程により変換された文字データ又はコードと、前記文字データ抽出工程により抽出された文字データ又はコードとを比較し、印刷物の良否を判定する判定工程と、
を有することを特徴とする印刷物検査方法。
【請求項５】
各印刷物に共通の共通データと、各印刷物毎に異なり少なくとも文字データ又はコードを含んで構成される可変データとが印刷された印刷物を検査する印刷物検査方法において、
前記印刷物の全領域のうち前記可変データが印刷されるべき領域である可変データ領域の位置を示す可変データ領域情報と、前記可変データ領域に印刷されるべき文字データ又はコードとを対応付けて記憶する記憶工程と、
前記共通データと前記可変データとが印刷された前記印刷物を撮像し検査画像データを取得する検査画像データ取得工程と、
前記記憶工程にて記憶させた情報に基づいて、前記撮像された検査画像データの中から前記可変データ領域を抽出する可変データ領域抽出工程と、
前記可変データ領域抽出工程により抽出された前記可変データ領域の画像データを前記文字データ又はコードに変換する変換工程と、
前記記憶工程にて記憶させた情報に基づいて、前記可変データ領域抽出工程により抽出された可変データ領域に印刷されるべき前記文字データ又はコードを抽出する文字データ抽出工程と、
前記変換工程により変換された文字データ又はコードと、前記文字データ抽出工程により抽出された文字データ又はコードとを比較し、印刷物の良否を判定する判定工程と、
を有することを特徴とする印刷物検査方法。
【請求項６】
請求項５に記載の印刷物検査方法において、
前記記憶工程は、前記印刷物の全領域のうち前記共通データが印刷されるべき領域である共通データ領域の位置を示す共通データ領域情報と、前記共通データ領域に印刷されるべき共通データとを対応付けて記憶し、
前記検査画像データ取得工程により取得した複数の検査画像データの中から基準となる基準画像データを取得する基準画像データ取得工程を更に有し、
前記可変データ領域抽出工程は、前記記憶工程にて記憶させた情報に基づいて、前記基準画像データを除く検査画像データと、前記基準画像データの中からそれぞれ前記可変データ領域を抽出し、
前記基準画像データを除く検査画像データと前記基準画像データ中のそれぞれの可変データ領域にマスク処理を行い、それぞれの共通データ領域を抽出する共通データ領域抽出工程を更に有し、
前記判定工程は、前記共通データ領域抽出工程により抽出された前記基準画像データを除く前記検査画像データ中の共通データと、前記共通データ領域抽出工程により抽出された前記基準画像データ中の共通データとを比較し、印刷物の良否を判定することを特徴とする印刷物検査方法。
【請求項７】
コンピュータを、請求項１乃至請求項３のいずれか一項に記載の印刷物検査装置として機能させることを特徴とする印刷物検査プログラム。
【発明の詳細な説明】
【技術分野】
【０００１】
本発明は、印刷物を検査する印刷物検査装置及び印刷物検査方法等に関する。詳細には、少なくとも文字データ又はコードが印刷された印刷物を検査する印刷物検査装置、印刷物検査方法等に関する。
【背景技術】
【０００２】
従来、印刷物に対する印刷の良否（印刷が正確に行われているか否か）を判定する検査は、まずオペレータが検査することにより印刷が正確に行われていると判断された印刷物から基準画像データを作製し、次に印刷物の良否を判定したい検査対象の印刷物をカメラにて撮像することにより検査画像データを取得し、上記基準画像データと検査画像データとを比較することによって行われていた。
【０００３】
ここで、ダイレクトメールや各種利用明細書等の印刷物のような文字データ又はコードを含む印刷物においても上記のように印刷が正確に行われていると判断された印刷物から基準画像データを作製し、次に印刷物の良否を判定したい検査対象の印刷物をカメラにて撮像することにより検査画像データを取得し、上記基準画像データと検査画像データとを比較することによって行われていた（例えば、［特許文献１］参照。）。
【特許文献１】特開２００３−５４０９６号公報
【発明の開示】
【発明が解決しようとする課題】
【０００４】
しかしながら、文字データ又はコードを含む印刷物においても基準画像データを作製することは時間と手間がかかるため非効率的であるといった問題があった。また、文字データ又はコードのみを別工程で印刷する場合においては、文字、印刷のずれ等により、誤検出してしまうといった問題もあった。
【０００５】
本発明はこのような問題に鑑みなされたものであり、少なくとも文字データ又はコードが印刷された印刷物を迅速かつ効率的に検査することを可能とする印刷物検査装置及び印刷物検査方法を提供することを目的とする。
【課題を解決するための手段】
【０００６】
上記課題を解決するための請求項１に記載の発明は、少なくとも文字データ又はコードが印刷された印刷物を検査する印刷物検査装置において、前記印刷物の全領域のうち前記文字データ又はコードが印刷されるべき領域である文字データ領域の位置を示す文字データ領域情報と、前記文字データ領域に印刷されるべき文字データ又はコードとを対応付けて記憶する記憶手段と、前記文字データ又はコードが印刷された印刷物を撮像し検査画像データを取得する検査画像データ取得手段と、前記記憶手段に基づいて、前記撮像された検査画像データの中から前記文字データ領域を抽出する文字データ領域抽出手段と、前記文字データ領域抽出手段により抽出された前記文字データ領域の画像データを前記文字データ又はコードに変換する変換手段と、前記記憶手段に基づいて、前記文字データ領域抽出手段により抽出された文字データ領域に印刷されるべき前記文字データ又はコードを抽出する文字データ抽出手段と、前記変換手段により変換された文字データ又はコードと、前記文字データ抽出手段により抽出された文字データ又はコードとを比較し、印刷物の良否を判定する判定手段と、を有することを特徴とする。
【０００７】
これによれば、文字データ又はコードが印刷された印刷物を検査する場合に、検査画像データ中の文字データ領域の画像データを文字データ又はコードに変換することにより、記憶手段に記憶されている文字データ又はコードに対して画像データを作製する必要がないため、印刷物を迅速かつ効率的に検査することができる。
【０００８】
また、文字データ又はコードのみを別工程で印刷する場合においても、印刷位置のずれ等による誤検出も発生しない。
【０００９】
上記課題を解決するための請求項２に記載の発明は、各印刷物に共通の共通データと、各印刷物毎に異なり少なくとも文字データ又はコードを含んで構成される可変データとが印刷された印刷物を検査する印刷物検査装置において、前記印刷物の全領域のうち前記可変データが印刷されるべき領域である可変データ領域の位置を示す可変データ領域情報と、前記可変データ領域に印刷されるべき文字データ又はコードとを対応付けて記憶する記憶手段と、前記共通データと前記可変データとが印刷された前記印刷物を撮像し検査画像データを取得する検査画像データ取得手段と、前記記憶手段に基づいて、前記撮像された検査画像データの中から前記可変データ領域を抽出する可変データ領域抽出手段と、前記可変データ領域抽出手段により抽出された前記可変データ領域の画像データを前記文字データ又はコードに変換する変換手段と、前記記憶手段に基づいて、前記可変データ領域抽出手段により抽出された可変データ領域に印刷されるべき前記文字データ又はコードを抽出する文字データ抽出手段と、前記変換手段により変換された文字データ又はコードと、前記文字データ抽出手段により抽出された文字データ又はコードとを比較し、印刷物の良否を判定する判定手段と、を有することを特徴とする。
【００１０】
これによれば、共通データと可変データとが印刷された印刷物においても、文字データ又はコードが印刷された印刷物を検査する場合に、検査画像データ中の文字データ領域の画像データを文字データ又はコードに変換することにより、記憶手段に記憶されている文字データ又はコードに対して画像データを作製する必要がないため、印刷物を迅速かつ効率的に検査することができる。
【００１１】
上記課題を解決するための請求項３に記載の発明は、請求項２に記載の印刷物検査装置において、前記記憶手段は、前記印刷物の全領域のうち前記共通データが印刷されるべき領域である共通データ領域の位置を示す共通データ領域情報と、前記共通データ領域に印刷されるべき共通データとを対応付けて記憶し、前記検査画像データ取得手段により取得した複数の検査画像データの中から基準となる基準画像データを取得する基準画像データ取得手段を更に有し、前記可変データ領域抽出手段は、前記記憶手段に基づいて、前記基準画像データを除く検査画像データと、前記基準画像データの中からそれぞれ前記可変データ領域を抽出し、前記基準画像データを除く検査画像データと前記基準画像データ中のそれぞれの可変データ領域にマスク処理を行い、それぞれの共通データ領域を抽出する共通データ領域抽出手段を更に有し、前記判定手段は、前記共通データ領域抽出手段により抽出された前記基準画像データを除く前記検査画像データ中の共通データと、前記共通データ領域抽出手段により抽出された前記基準画像データ中の共通データとを比較し、印刷物の良否を判定することを特徴とする。
【００１２】
これによれば、共通データと可変データとが印刷された印刷物における共通データ領域において、検査対象の印刷物を検査する際に基準となる印刷物の基準画像データを複数の検査画像データの中から取得することによって、記憶手段に記憶されている共通データに対して画像データを作製する必要がないため、印刷物を迅速かつ効率的に検査することができる。
【００１３】
また、可変データ領域において、文字データ又はコードが印刷された印刷物を検査する場合に、検査画像データ中の文字データ領域の画像データを文字データ又はコードに変換することにより、記憶手段に記憶されている文字データ又はコードに対して画像データを作製する必要がなく、印刷の良否を判定できるため、印刷物を迅速かつ効率的に検査することができる。
【００１４】
上記課題を解決するための請求項４に記載の発明は、少なくとも文字データ又はコードが印刷された印刷物を検査する印刷物検査方法において、前記印刷物の全領域のうち前記文字データ又はコードが印刷されるべき領域である文字データ領域の位置を示す文字データ領域情報と、前記文字データ領域に印刷されるべき文字データ又はコードとを対応付けて記憶する記憶工程と、前記文字データ又はコードが印刷された印刷物を撮像し検査画像データを取得する検査画像データ取得工程と、前記記憶工程にて記憶させた情報に基づいて、前記撮像された検査画像データの中から前記文字データ領域を抽出する文字データ領域抽出工程と、前記文字データ領域抽出工程により抽出された前記文字データ領域の画像データを前記文字データ又はコードに変換する変換工程と、前記記憶工程にて記憶させた情報に基づいて、前記文字データ領域抽出工程により抽出された文字データ領域に印刷されるべき前記文字データ又はコードを抽出する文字データ抽出工程と、前記変換工程により変換された文字データ又はコードと、前記文字データ抽出工程により抽出された文字データ又はコードとを比較し、印刷物の良否を判定する判定工程と、を有することを特徴とする。
【００１５】
これによれば、文字データ又はコードが印刷された印刷物を検査する場合に、検査画像データ中の文字データ領域の画像データを文字データ又はコードに変換することにより、記憶手段に記憶されている文字データ又はコードに対して画像データを作製する必要がないため、印刷物を迅速かつ効率的に検査することができる。
【００１６】
また、文字データ又はコードのみを別工程で印刷する場合においても、印刷位置のずれ等による誤検出も発生しない。
【００１７】
上記課題を解決するための請求項５に記載の発明は、各印刷物に共通の共通データと、各印刷物毎に異なり少なくとも文字データ又はコードを含んで構成される可変データとが印刷された印刷物を検査する印刷物検査方法において、前記印刷物の全領域のうち前記可変データが印刷されるべき領域である可変データ領域の位置を示す可変データ領域情報と、前記可変データ領域に印刷されるべき文字データ又はコードとを対応付けて記憶する記憶工程と、前記共通データと前記可変データとが印刷された前記印刷物を撮像し検査画像データを取得する検査画像データ取得工程と、前記記憶工程にて記憶させた情報に基づいて、前記撮像された検査画像データの中から前記可変データ領域を抽出する可変データ領域抽出工程と、前記可変データ領域抽出工程により抽出された前記可変データ領域の画像データを前記文字データ又はコードに変換する変換工程と、前記記憶工程にて記憶させた情報に基づいて、前記可変データ領域抽出工程により抽出された可変データ領域に印刷されるべき前記文字データ又はコードを抽出する文字データ抽出工程と、前記変換工程により変換された文字データ又はコードと、前記文字データ抽出工程により抽出された文字データ又はコードとを比較し、印刷物の良否を判定する判定工程と、を有することを特徴とする。
【００１８】
これによれば、共通データと可変データとが印刷された印刷物においても、文字データ又はコードが印刷された印刷物を検査する場合に、検査画像データ中の文字データ領域の画像データを文字データ又はコードに変換することにより、記憶手段に記憶されている文字データ又はコードに対して画像データを作製する必要がないため、印刷物を迅速かつ効率的に検査することができる。
【００１９】
上記課題を解決するための請求項６に記載の発明は、請求項５に記載の印刷物検査方法において、前記記憶工程は、前記印刷物の全領域のうち前記共通データが印刷されるべき領域である共通データ領域の位置を示す共通データ領域情報と、前記共通データ領域に印刷されるべき共通データとを対応付けて記憶し、前記検査画像データ取得工程により取得した複数の検査画像データの中から基準となる基準画像データを取得する基準画像データ取得工程を更に有し、前記可変データ領域抽出工程は、前記記憶工程にて記憶させた情報に基づいて、前記基準画像データを除く検査画像データと、前記基準画像データの中からそれぞれ前記可変データ領域を抽出し、前記基準画像データを除く検査画像データと前記基準画像データ中のそれぞれの可変データ領域にマスク処理を行い、それぞれの共通データ領域を抽出する共通データ領域抽出工程を更に有し、前記判定工程は、前記共通データ領域抽出工程により抽出された前記基準画像データを除く前記検査画像データ中の共通データと、前記共通データ領域抽出工程により抽出された前記基準画像データ中の共通データとを比較し、印刷物の良否を判定することを特徴とする。
【００２０】
これによれば、共通データと可変データとが印刷された印刷物における共通データ領域において、検査対象の印刷物を検査する際に基準となる印刷物の基準画像データを複数の検査画像データの中から取得することによって、記憶手段に記憶されている共通データに対して画像データを作製する必要がないため、印刷物を迅速かつ効率的に検査することができる。
【００２１】
また、可変データ領域において、文字データが印刷された印刷物を検査する場合に、検査画像データ中の文字データ領域の画像データを文字データに変換することにより、記憶手段に記憶されている文字データに対して画像データを作製する必要がなく、印刷の良否を判定できるため、印刷物を迅速かつ効率的に検査することができる。
【発明の効果】
【００２２】
本発明によれば、文字データ又はコードが印刷された印刷物を検査する場合に、検査画像データ中の文字データ領域の画像データを文字データ又はコードに変換することにより、記憶手段に記憶されている文字データ又はコードに対して画像データを作製する必要がないため、印刷物を迅速かつ効率的に検査することができる。
【００２３】
また、文字データ又はコードのみを別工程で印刷する場合においても、印刷位置のずれ等による誤検出も発生しない。
【発明を実施するための最良の形態】
【００２４】
（Ｉ）第１の実施形態
本発明の印刷物検査装置の第１の実施形態について説明する。
【００２５】
本実施形態は、少なくとも文字データ又はコードが印刷された印刷物を検査する場合の一例を示す。
【００２６】
［印刷物検査装置の構成及び機能］
まず、図１乃至図２を参照して本実施形態に係る印刷物検査装置の構成及び機能について説明する。
【００２７】
図１は、本実施形態にかかる印刷物検査装置の概略図であり、図２は、印刷物検査装置のコンピュータにおける概要構成を示すブロック図である。
【００２８】
図１に示すように、当該印刷物検査装置１は、印刷部２、画像取得部３、コンピュータ４を含んで構成されている。なお、本実施形態に係る印刷物検査装置１は、印刷部２を含む構成としているが、必ずしも印刷物検査装置１は印刷部２を含む構成に限ることはなく、印刷物検査装置１とは別に印刷装置を設けても良い。
【００２９】
（印刷部２）
まず、印刷部２について説明する。印刷部２は、媒体１１に文字データ又はコードを印刷する部分である。
【００３０】
印刷部２は、塗布部２１、搬送部２２により構成されている。
【００３１】
塗布部２１は、媒体１１に文字データを印刷するものである。ここで、詳しくは後述するが、コンピュータ４の記憶部４３に記憶されている文字データ領域情報に基づいて、文字データ又はコードを媒体１１の所望の位置に印刷する。
【００３２】
ここで塗布部２１によって印刷される媒体１１は、印刷を行い印刷物１２を作製するためのシート又はロール状の紙、フィルム、ガラス基盤、プリント基盤、板材等である。
【００３３】
搬送部２２は、媒体１１に印刷を行う際に、媒体１１を印刷部２に搬送し、印刷部２により印刷がなされた後の印刷物１２を画像取得部３に搬送するためのものである。
【００３４】
ここで、印刷部２によって媒体１１に印刷が行われた後の印刷物１２について説明する。
【００３５】
印刷物１２は、媒体１１に文字データ又はコード（以下、単に「文字データ」と称する場合がある。）が印刷されたものである。ここで、コードは、例えば、ＱＲコード、バーコード等を含むものである。
【００３６】
図３（ａ）は、印刷物を示す図であり、（ｂ）は、印刷物の文字データ領域を示す図である。
【００３７】
例えば、図３（ａ）に示すように、印刷物１２には、例えば、文字データ５１として宛先が印刷されている。ここで、図３（ｂ）に示すように、この文字データ５１が印刷される領域を文字データ領域５２とする。
【００３８】
（画像取得部３）
次に、画像取得部３について説明する。画像取得部３は、印刷部２によって媒体１１に文字データが印刷された印刷物１２を撮像し、検査画像データを取得する部分であり、印刷物１２の表裏を撮像するために、表面撮像カメラ３１、裏面撮像カメラ３２を備えるものである。なお、本実施形態においては裏面に印刷がなされていない場合について説明しているので裏面撮像カメラ３２を設置しなくてもよい。
【００３９】
表面撮像カメラ３１は、媒体１１に文字データが印刷された印刷物１２の表側の検査画像データを取得するために印刷物の表面を撮像するためのものである。
【００４０】
裏面撮像カメラ３２は、媒体１１に文字データが印刷された印刷物１２の裏側の検査画像データを取得するために印刷物の裏面を撮像するためのものである。
【００４１】
（コンピュータ４）
次に、コンピュータ４について説明する。コンピュータ４は、印刷部２と画像取得部３の動作を管理しており、画像取得部３によって取得された検査画像データを用いて印刷物の検査を行う部分である。ここで、以下に説明するコンピュータ４は、プリント出力用コンピュータ５、印刷物検査処理、画像作成処理、文字データ照合等を行うコンピュータ６、及びコンピュータ５、６と通信することによりコンピュータ５、６の動作を管理する上位データベース７の処理をまとめて説明したものである。
【００４２】
コンピュータ４は、図２に示すように、入力部４１、表示部４２、記憶手段としての記憶部４３、外部機器接続部４４、検査画像データ取得手段、文字データ領域抽出手段、変換手段、文字データ抽出手段、判定手段としての制御部４５により構成されている。
【００４３】
入力部４１は、図示しないキーボード等に具備された数字キー等の各種操作キー等であって、管理者の操作に対応する入力情報を生成して制御部４５へ出力する。
【００４４】
表示部４２は、画像取得部３により取得した検査画像データ等を表示する。
【００４５】
記憶部４３は、記憶手段として機能する。
【００４６】
印刷物検査装置上の表示部４２に表示すべき情報等を蓄積記憶し、必要に応じて蓄積記憶情報として制御部４５に出力すると共に、入力部４１における操作により当該表示すべき情報が入力／更新されると、その更新された情報を制御部４５を介して蓄積記憶情報として受け取り、指定されたアドレスに蓄積記憶する。
【００４７】
ここで、当該記憶部４３の細部構成について、図４を用いて説明する。
【００４８】
図４は、コンピュータの記憶部の細部構成を示す図である。
記憶部４３は、領域情報データベース４３Ａにより構成されている。
【００４９】
＜領域情報データベース４３Ａ＞
図４に示すように領域情報データベース４３Ａは、印刷物の全領域のうち文字データが印刷されるべき領域である文字データ領域の位置を示す文字データ領域情報と、文字データ領域に印刷されるべき文字データとを対応付けて記憶している。
【００５０】
例えば、文字データ領域５２（図３（ｂ）参照）に宛先（図３（ａ）参照）が対応付けて記憶されている。ここで、文字データは宛先の他に英数字、記号等のコンピュータで表記可能な情報であればよい。
【００５１】
外部機器接続部４４は、印刷部２乃至画像取得部３との間で情報を送受信する際に通信情報を受信し制御部４５に出力したり、通信情報を送信するために制御部４５から出力されるものである。例えば、印刷部２が媒体１１の所望の位置に印刷するために文字データが印刷されるべき文字データ領域情報を送信したり、表面撮像カメラ４１を用いて印刷物１２を撮像した際に取得した検査画像データを受信したりするものである。
【００５２】
制御部４５は、検査画像データ取得手段、文字データ領域抽出手段、変換手段、文字データ抽出手段、判定手段として機能する。
【００５３】
上記通信情報、入力情報、及び記憶情報を用いて、表示部４２に表示させるべき表示情報を生成し、表示部４２に出力して必要な表示を実行させたり、上記通信情報を生成し、外部機器接続部４４を介して印刷部２、画像取得部３に対して通信を行う。
【００５４】
［印刷物検査処理］
図５のフローチャートを用いて、印刷物検査装置における印刷物検査処置について説明する。
図５は、印刷物検査装置における印刷物検査処理を示すフローチャートである。
【００５５】
まず、印刷物の全領域のうち文字データが印刷されるべき領域である文字データ領域の位置を示す文字データ領域情報と、文字データ領域に印刷されるべき文字データとを対応付けて記憶する（記憶工程）（ステップＳ１１）。
【００５６】
具体的には、上述の領域情報データベース４３Ａに示したように、印刷物の全領域のうち文字データが印刷されるべき領域である文字データ領域の位置を文字データ領域情報５２（図３（ｂ）参照）とし、それに対応付けて、文字データ領域５２に印刷されるべき文字データ（例えば、宛先（図３（ａ）参照））を記憶する。
【００５７】
次に、文字データが印刷された印刷物を撮像し検査画像データを取得する（検査画像データ取得工程）（ステップＳ１２）。
【００５８】
具体的には、図１、３（ａ）に示すように印刷物１２の表面を表面撮像カメラ３１を用いて撮像し、検査画像データを取得する。
【００５９】
次に、記憶工程にて記憶させた情報に基づいて、撮像された検査画像データの中から文字データ領域を抽出する（文字データ領域抽出工程）（ステップＳ１３）。
【００６０】
具体的には、上述した領域情報データベース４３Ａに基づいて、表面撮像カメラ３１によって撮像した検査画像データの中から文字データによって構成された文字データ領域５２を抽出する。
【００６１】
次に、文字データ領域抽出工程により抽出された文字データ領域の画像データを文字データに変換する（変換工程）（ステップＳ１４）。
【００６２】
具体的には、文字データ領域５２の画像データを例えば、ＯＣＲ、ＱＲコードリーダー、バーコードリーダー等によって文字データに変換する。
【００６３】
次に、記憶工程にて記憶させた情報に基づいて、文字データ領域抽出工程により抽出された文字データ領域に印刷されるべき文字データを抽出する（文字データ抽出工程）（ステップＳ１５）。
【００６４】
具体的には、上述した領域情報データベース４３Ａに基づいて、文字データ領域５２に対応付けて記憶されている文字データ（宛先）を抽出する。
【００６５】
次に、変換工程により変換された文字データと、前記文字データ抽出工程により抽出された文字データとを比較し、印刷の良否を判定する（判定工程）（ステップＳ１６）。
【００６６】
具体的には、変換工程により変換された文字データと、文字データ領域抽出工程により抽出された文字データが同一である場合には、印刷物が良好である（印刷が正確に行われている）と判定され、文字データがうまく印刷されていない、汚れがある等により両者の文字データが同一ではない場合には、印刷物が良好でない（印刷が正確に行われていない）と判定され、再度印刷が行われるか、欠陥印刷物をして後に処分される。
【００６７】
以上説明したように、文字データが印刷された印刷物を検査する場合に、検査画像データ中の文字データ領域の画像データを文字データに変換することにより、記憶手段に記憶されている文字データに対して画像データを作製する必要がないため、印刷物を迅速かつ効率的に検査することができる。
【００６８】
（ＩＩ）第２の実施形態
本発明の印刷物検査装置の第２の実施形態について説明する。
【００６９】
本実施形態は、各印刷物に共通の共通データと、各印刷物毎に異なり少なくとも文字データを含んで構成される可変データとが印刷された印刷物を検査する場合の一例を示す。
【００７０】
まず、図１乃至図２を参照して本実施形態に係る印刷物検査装置の構成及び機能について説明する。なお、印刷物検査装置の構成及び機能について第１の実施形態において説明した場合と同様である部分は説明を省略し、異なる部分についてのみ以下に説明する。
【００７１】
（印刷部２）
まず、印刷部２について説明する。印刷部２は、媒体１１に共通データと可変データを印刷する部分である。
【００７２】
ここで、印刷部２１によって媒体１１に印刷が行われた印刷物１２について説明する。
【００７３】
印刷物１２は、媒体１１に共通データと可変データとが印刷されたものである。
【００７４】
図６（ａ）は、印刷物の表面を示す図であり、図６（ｂ）は、印刷物の裏面を示す図である。
【００７５】
例えば、図６（ａ）に示すように、印刷物１２の表面には、共通データ（☆☆☆）６１、可変データ（宛先（文字データ））６２、可変データ（人の絵柄（絵柄データ））６３、共通データ（☆☆☆）６４が印刷されている。図６（ｂ）に示すように、印刷物１２の裏面には、可変データ（金額（文字データ））６５、共通データ（☆☆☆）６６、可変データ（人の絵柄（絵柄データ））６７、可変データ（コメント（文字データ））６８、可変データ（吹き出しの絵柄（絵柄データ））６９が印刷されている。
【００７６】
図６（ｃ）は、印刷物の表面の共通データ領域、可変データ領域を示す図であり、図６（ｄ）は、印刷物の裏面の共通データ領域、可変データ領域を示す図である。
【００７７】
具体的には、図６（ｃ）（ｄ）は、図６（ａ）（ｂ）に示した印刷物の共通データ領域、可変データ領域をわかりやすく図示したものであり、共通データ６１が印刷されている共通データ領域７１、可変データ６２が印刷されている可変データ領域７２、可変データ６３が印刷されている可変データ領域７３、共通データ６４が印刷されている共通データ領域７４、可変データ６５が印刷されている可変データ領域７５、共通データ６６が印刷されている共通データ領域７６、可変データ６７が印刷されている可変データ領域７７、可変データ６８が印刷されている可変データ領域７８、可変データ６９が印刷されている可変データ領域７９を示したものである。
【００７８】
（コンピュータ４）
記憶部３３は、記憶手段として機能し、当該記憶部３３の細部構成について、図８を用いて説明する。
【００７９】
図７は、コンピュータの記憶部の細部構成を示す図である。
記憶部４３は、領域情報データベース４３Ａにより構成されている。
【００８０】
＜領域情報データベース４３Ａ＞
図７に示すように領域情報データベース４３Ａは、印刷物の全領域のうち可変データが印刷されるべき領域である可変データ領域を示す可変データ領域情報と、可変データ領域に印刷されるべき可変データとを対応付けて記憶し、印刷物の全領域のうち共通データが印刷されるべき領域である共通データ領域を示す共通データ領域情報と、共通データ領域に印刷されるべき共通データとを対応付けて記憶する。
【００８１】
具体的には、領域７１〜７９に対応付けて、それぞれの領域に印刷されるデータ及びデータの種類が記憶されている。例えば、領域７１には、データ（☆☆☆）、データの種類（共通データ）が対応付けて記憶されており、領域７２には、データ（宛先）、データの種類（可変データ（文字データ））が対応付けて記憶されている。
【００８２】
［印刷物検査処理］
（Ａ）印刷物の表面に対する検査処理
初めに、印刷物の表面について検査する場合について説明する。
【００８３】
（共通データ領域に対する検査処理）
図８のフローチャートを用いて、印刷物検査装置における印刷物検査処理について説明する。
【００８４】
図８は、印刷物検査装置における印刷物検査処理を示すフローチャートであり、（ａ）は、基準画像データに対する処理を示した図であり、（ｂ）は、基準画像データ以外の検査画像データに対する処理を示した図である。
【００８５】
まず、印刷物の全領域のうち共通データが印刷されるべき領域である共通データ領域の位置を示す共通データ領域情報と、共通データ領域に印刷されるべき共通データとを対応付けて記憶し、印刷物の全領域のうち可変データが印刷されるべき領域である可変データ領域の位置を示す可変データ領域情報と、可変データ領域に印刷されるべき可変データとを対応付けて記憶する（ステップＳ２１）。
【００８６】
具体的には、上述の領域情報データベース４３Ａに示したように共通データ領域７１、７４（図６（ｃ）参照）に対応付けて、共通データ領域７１、７４に印刷されるべき共通データ（例えば、☆☆☆（図６（ａ）参照））を記憶する。また、可変データ領域７２、７３（図６（ｃ）参照）に対応付けて、可変データ領域７２、７３に印刷されるべき可変データ（例えば、宛先、人の絵柄（図６（ａ）参照））を記憶する。
【００８７】
次に、共通データと可変データとが印刷された印刷物を撮像し検査画像データを取得する（検査画像データ取得工程）（ステップＳ２２）。
【００８８】
具体的には、図１、６（ａ）に示すように印刷物１２の表面を表面撮像カメラ３１を用いて撮像し、検査画像データを取得する。
【００８９】
次に、検査画像データ取得工程により取得した複数の検査画像データの中から基準となる基準画像データを取得する（基準画像データ取得工程）（ステップＳ２３）。
【００９０】
ここで、複数の検査画像データを取得した場合、１枚目に撮像した検査画像データを基準となる基準画像データとする。なお、１枚目の検査画像データが印刷物として良好でない場合には、２枚目の検査画像データを基準画像データとして用いる。
【００９１】
上述のように１枚目を基準画像データとした場合には、２枚目以降撮像された検査画像データ（基準画像データを除く検査画像データ）は、基準画像データと比較して印刷の良否を判定する対象となる検査画像データ（ステップＳ３１）となり、図８（ｂ）に示す処理が行われることになる。
【００９２】
次に、記憶工程にて記憶させた情報に基づいて、基準画像データの中から可変データ領域を抽出する（可変データ領域抽出工程）（ステップＳ２４）。
【００９３】
具体的には、上述した領域情報データベース４３Ａに基づいて、１枚目に撮像した基準画像データ中の可変データ領域を抽出する。
【００９４】
次に、基準画像データ中の可変データ領域にマスク処理を行い、共通データ領域を抽出する（共通データ領域抽出工程）（ステップＳ２５）。
【００９５】
具体的には、図１１（ａ）に示すように、可変データ領域７２、７３にマスク処理を行い、共通データ領域を抽出する。
【００９６】
次に、共通データ領域の画像データを基準画像として記憶する（ステップＳ２６）。
【００９７】
具体的には、この基準画像は、基準画像データ以外の検査画像データ（２枚目以降の検査画像データ）の共通画像データとを比較して検査画像データの印刷の良否を判定するため後に用いられる。
【００９８】
ここで、上述したように、２枚目以降撮像された検査画像データ（基準画像データを除く検査画像データ）は、基準画像データと比較して印刷の良否を判定する対象となる検査画像データ（ステップＳ３１）となり、以下、ステップＳ３２、３３は基準画像データの場合に説明したステップ２４、２５と同様の処理が行われ、共通データ領域を抽出する（ステップＳ３３）。
【００９９】
次に、上述のように抽出された基準画像データ以外の検査画像データ（２枚目以降の検査画像データ）の共通データ領域と基準画像データにより取得された基準画像を比較して基準画像データ以外の検査画像データ（２枚目以降の検査画像データ）の印刷の良否を判定する。（ステップＳ３４）。
【０１００】
具体的には、基準画像データの共通データ（基準画像）と検査画像データの共通データが同一である場合には、印刷が良好であると判定され、基準画像データの共通データ（基準画像）と検査画像データの共通データが同一でない場合には、印刷が良好でないと判定される。
【０１０１】
（可変データ領域の絵柄データに対する検査処理）
図９のフローチャートを用いて、印刷物検査装置における印刷物検査処理について説明する。
【０１０２】
図９は、印刷物検査装置における印刷物検査処理を示すフローチャートである。
まず、上述のように抽出された検査画像データ中の可変データ領域のうち、文字データで構成されている文字データ領域を抽出し、マスク処理を行い、絵柄データで構成されている絵柄データ領域を抽出する（ステップＳ４１）。
【０１０３】
具体的には、図１１（ｂ）に示すように、可変データ領域の文字データ領域７２にマスク処理を行い、可変データ領域の絵柄データ領域７３を抽出する。
【０１０４】
次に、記憶工程にて記憶させた可変データ（絵柄データ）を画像データに変換する（ステップＳ４２）。
【０１０５】
次に、マスク処理を行うことにより抽出された絵柄データと、可変データ（絵柄データを変換して生成した画像データとを比較し、印刷の良否を判定する（ステップＳ４３）。
【０１０６】
具体的には、マスク処理を行うことにより抽出された絵柄データと、可変データ（絵柄データを変換して生成した画像データが同一である場合には、印刷が良好であると判定され、同一でない場合には、印刷が良好でないと判定される。
【０１０７】
（可変データ領域の文字データに対する検査処理）
図１０のフローチャートを用いて、印刷物検査装置における印刷物検査処理について説明する。
【０１０８】
図１０は、印刷物検査装置における印刷物検査処理を示すフローチャートである。
まず、上述のように抽出された検査画像データ中の可変データ領域のうち、絵柄データで構成されている絵柄データ領域を抽出し、マスク処理を行い、文字データで構成されている文字データ領域を抽出する（ステップＳ５１）。
【０１０９】
具体的には、図１１（ｃ）に示すように、可変データ領域の絵柄データ領域７３にマスク処理を行い、可変データ領域の文字データ領域７２を抽出する。
【０１１０】
次に、可変データ領域抽出手段により抽出された可変データ領域の画像データを文字データに変換する（変換工程）（ステップＳ５２）。
【０１１１】
具体的には、文字データ領域の画像データを例えば、ＯＣＲ、ＱＲコードリーダー、バーコードリーダー等によって文字データに変換する。
【０１１２】
次に、記憶工程にて記憶させた情報に基づいて、可変データ領域抽出工程により抽出された可変データ領域に印刷されるべき文字データを抽出する（文字データ抽出工程）（ステップＳ５３）。
【０１１３】
具体的には、上述した領域情報データベース４３Ａに基づいて、文字データ領域７２に対応付けて記憶されている文字データ（宛先）６２を抽出する。
【０１１４】
次に、変換工程により変換された文字データと、文字データ抽出工程により抽出された文字データとを比較し、印刷の良否を判定する（判定工程）（ステップＳ５４）。
【０１１５】
具体的には、変換工程により変換された文字データと、文字データ抽出工程により抽出された文字データが同一である場合には、印刷が良好である（印刷が正確に行われている）と判定され、文字データがうまく印刷されていない、汚れがある等により両者の文字データが同一ではない場合には、印刷が良好でない（印刷が正確に行われていない）と判定される。
【０１１６】
このように、印刷物の表面の共通データ領域に対する検査処理、可変データ領域の絵柄データに対する検査処理、可変データ領域の文字データに対する検査処理を行った結果、全ての検査処理において印刷が良好（印刷が正確に行われている）と判定された場合に、印刷物の表面の印刷が良好である（印刷が正確に行われている）と判定されることになる。
【０１１７】
以上説明したように、共通データと可変データとが印刷された印刷物における共通データ領域において、検査対象の印刷物を検査する際に基準となる印刷物の基準画像データを複数の検査画像データの中から取得することによって、記憶手段に記憶されている共通データに対して画像データを作製する必要がないため、印刷物を迅速かつ効率的に検査することができる。
【０１１８】
また、可変データ領域において、文字データが印刷された印刷物を検査する場合に、検査画像データ中の文字データ領域の画像データを文字データに変換することにより、記憶手段に記憶されている文字データに対して画像データを作製する必要がなく、印刷の良否を判定できるため、印刷物を迅速かつ効率的に検査することができる。
【０１１９】
（Ｂ）印刷物の裏面に対する検査処理
印刷物の裏面についても印刷物の表面について検査した場合と同様に検査を行う。
【０１２０】
上述した場合と同様に、印刷物の裏面の共通データ領域に対する検査処理、可変データ領域の絵柄データに対する検査処理、可変データ領域の文字データに対する検査処理を行った結果、全ての検査処理において印刷が良好（印刷が正確に行われている）と判定された場合に、印刷物の裏面の印刷が良好である（印刷が正確に行われている）と判定されることになる。
【０１２１】
（Ｃ）印刷物の表裏に対する適合検査処理
次に、上述したように、印刷物の表面についてそれぞれ共通データ領域、可変データ領域の良否判断を行い、更に、印刷物の裏面についてそれぞれ共通データ領域、可変データ領域の良否判断を行い、印刷物の表面と裏面の両方において印刷が良好であると判定された場合には、次に、印刷物の表裏に対する適合検査処理が行われる。
【０１２２】
印刷物の表裏に対する適合検査が行われた結果、印刷物の表裏が適合した場合には印刷物は良品であると判定し、適合しなかった場合には、印刷物は不良品であると判定され、再度印刷が行われるか、又は印刷物が欠陥品であるとして処分される。
【図面の簡単な説明】
【０１２３】
【図１】本実施形態にかかる印刷物検査装置の概略図である。
【図２】印刷物検査装置のコンピュータにおける概要構成を示すブロック図である。
【図３】（ａ）は、印刷物を示す図であり、（ｂ）は、印刷物の文字データ領域を示す図である。
【図４】コンピュータの記憶部の細部構成を示す図である。
【図５】印刷物検査装置における印刷物検査処理を示すフローチャートである。
【図６】（ａ）は、印刷物の表面を示す図であり、（ｂ）は、印刷物の裏面を示す図であり、（ｃ）は、印刷物の表面の共通データ領域、可変データ領域を示す図であり、（ｄ）は、印刷物の裏面の共通データ領域、可変データ領域を示す図である。
【図７】コンピュータの記憶部の細部構成を示す図である。
【図８】（ａ）は、基準画像データに対する処理を示した図であり、（ｂ）は、基準画像データ以外の検査画像データに対する処理を示した図である。
【図９】印刷物検査装置における印刷物検査処理を示すフローチャートである。
【図１０】印刷物検査装置における印刷物検査処理を示すフローチャートである。
【図１１】マスク処理を説明するための図である。
【符号の説明】
【０１２４】
１・・・印刷物検査装置
２・・・印刷部
３・・・画像取得部
４・・・コンピュータ
１１・・・媒体
１２・・・印刷物
２１・・・塗布部
２２・・・搬送部
３１・・・表面撮像カメラ
３２・・・裏面撮像カメラ
４１・・・入力部
４２・・・表示部
４３・・・記憶部
４４・・・外部機器接続部
４５・・・制御部
４３Ａ・・・領域情報データベース
５１・・・文字データ
５２・・・文字データ領域
【図１】
2008084174.tif 000003
【図２】
2008084174.tif 000004
【図３】
2008084174.tif 000005
【図４】
2008084174.tif 000006
【図５】
2008084174.tif 000007
【図６】
2008084174.tif 000008
【図７】
2008084174.tif 000009
【図８】
2008084174.tif 000010
【図９】
2008084174.tif 000011
【図１０】
2008084174.tif 000012
【図１１】
2008084174.tif 000013